(57)【特許請求の範囲】
【請求項１】
主体を含み、前記主体の中には作動空間が設置され、前記作動空間の中には移動する伝送ベルトが設置され、前記伝送ベルトの中には固定空間が設置され、前記固定空間の中にはペットボトルを固定できる固定装置が設置され、
前記固定装置は前記固定空間の側壁に左右対称的に設置された頂部スライド空間を含み、前記頂部スライド空間の中には突き出しロッドがスライドできるように連結され、前記突き出しロッドと前記頂部スライド空間との間には小バネが連結され、前記突き出しロッドの頂側には台形ブロックが固定的に設置され、前記突き出しロッドの片側には瓶の口を挟める固定ブロックが固定的に設置され、前記固定ブロックにはペットボトルが固定的に連結され、前記伝送ベルトの底面には触発ロッドが固定的に設置され、前記作動空間の底壁には下方に開口した洗浄空間が設置され、前記洗浄空間の底側には水タンクが設置され、前記水タンクと前記洗浄空間との間には水出管が連結され、
前記水タンクと前記洗浄空間との間にはペットボトルを洗浄できる水噴射装置が設置され、前記作動空間の底壁には動力空間が設置され、前記動力空間の中にはペットボトルを洗浄することを補助できるブラシヘッド装置が設置され、前記作動空間の頂壁には開口空間が設置され、前記開口空間の頂側には押し空間が設置され、前記押し空間の中にはペットボトルを押しつぶせる押し装置が設置され、前記作動空間の底壁には落とし空間が設置され、前記作動空間の後側には前記押し装置に動力を伝送できる伝動装置が設置されており、
前記水噴射装置は前記洗浄空間の右側壁に設置された排水パイプを含み、前記作動空間の底壁には下方に開口した楔形ブロックスライド空間が左右対称的に設置され、前記楔形ブロックスライド空間の中には前記触発ロッドと当接できるラック楔形ブロックがスライドできるように連結され、右側の前記楔形ブロックスライド空間の右側壁には前記洗浄空間と連通した連通空間が設置され、前記連通空間の前後側壁には旋転軸が回転できるように連結され、前記旋転軸には前記タック楔形ブロックと噛み合った旋転歯車が固定的に設置され、前記洗浄空間の底壁には切換空間が設置され、前記旋転歯車の右側には折り曲げラックが噛み合い、前記折り曲げラックの頂面にはノズルが固定的に設置され、前記折り曲げラックの底側には伸縮ホースが固定的に設置され、前記伸縮ホースの底側と前記水出管とが連通し、前記水タンクの底壁には前記水出管と連結された水ポンプが固定的に設置され、前記水タンクの後側壁には後方に開口した注水口が設置され、前記折り曲げラックの底面にはヒンジロッドがヒンジで連結され、前記切換空間の底壁には前記水出管を貫通した横板スライド空間が設置され、前記ヒンジロッドの中には前記水出管と連通できる抜き穴が設置され、前記切換空間の後側壁には洗浄剤を加えられる加え口が設置されており、
前記触発ロッドは右側の前記ラック楔形ブロックを下方に押す時、前記旋転歯車を回転連動させ、それによって前記折り曲げラックと前記伸縮ホースとを上方に移動連動させ、それによって前記ヒンジロッドによって前記横板を右方に移動連動させ、前記抜き穴は前記切換空間の中の洗浄剤を前記水出管の中にガイドし、前記水ポンプは前記水タンクの中の水を前記水出管と、前記抜き穴と、前記ノズルとによって前記ペットボトルの中に噴射し、それによって洗浄を完成することを特徴とする飲料用ペットボトルの洗浄回収圧縮装置。
【請求項２】
前記ブラシヘッド装置は前記動力空間の底壁に固定的に取り付けられたモーターを含み、前記モーターの中にはモーター軸が伝動できるように連結され、前記モーター軸の頂側には動力歯車が固定的に設置され、前記モーター軸の中側には第一傘歯車が固定的に設置され、前記動力空間の後側壁には貫通軸が回転できるように連結され、前記貫通軸の前側には前記第一傘歯車と噛み合える第二傘歯車が固定的に設置され、前記動力空間の底側には液圧スライド空間が設置され、前記液圧スライド空間の左側壁には送油管が設置され、前記送油管の頂壁には油タンクが設置され、左側の前記ラック楔形ブロックの底面には左側の前記楔形ブロックスライド空間の底壁とスライドできるように連結された長ロッドがスライドできるように連結され、前記長ロッドは下方に伸びて前記楔形ブロックスライド空間の底壁を貫通して前記油タンクの中に入り、且つ前記油タンクの頂壁とスライドできるように連結され、前記長ロッドの底側には前記油タンクとスライドできるように連結された圧力板が固定的に設置され、前記液圧スライド空間の右側面には位置制限ブロックがスライドできるように連結され、前記液圧スライド空間の中には液圧スライドブロックがスライドできるように連結され、前記液圧スライドブロックと前記圧力板との間には作動液が貯蔵され、前記液圧スライドブロックの頂側には縦軸が回転できるように連結され、前記縦軸と前記液圧スライド空間の頂壁とがスライドできるように連結され、前記縦軸の頂側は上方に伸びて前記液圧スライド空間の頂壁を貫通して前記動力空間の中に入り、且つ前記動力空間の底壁とスライドできるように連結され、前記縦軸の中側には前記動力歯車と噛み合える移動歯車が固定的に設置され、前記縦軸の頂側には前記ペットボトルの内壁を洗浄できる軟質ブラシが固定的に設置されていることを特徴とする請求項１に記載の飲料用ペットボトルの洗浄回収圧縮装置。
【請求項３】
前記押し装置は前記押し空間の右側壁に回転できるように装着された横軸を含み、前記横軸の中側には第三傘歯車が固定的に設置され、前記横軸の左側にはカムが固定的に設置され、前記押し空間の後側壁には延伸軸が回転できるように連結され、前記延伸軸の前側には前記第三傘歯車と噛み合った第四傘歯車が固定的に設置され、前記押し空間の中には押し動かし板がスライドできるように連結され、前記押し動かし板と前記押し空間との間には強力バネが連結され、前記押し動かし板の底側には細ロッドが固定的に設置され、前記細ロッドは下方に伸びて前記押し空間の底壁を貫通して前記開口空間の中に入り、且つ前記押し空間の底壁及び前記開口空間の頂壁とスライドできるように連結され、前記細ロッドの底側には前記台形ブロックと当接できる押し板が固定的に設置されていることを特徴とする請求項１に記載の飲料用ペットボトルの洗浄回収圧縮装置。
【請求項４】
前記伝動装置は前記ベルト空間の中に設置された連結ベルトを含み、前記延伸軸と前記貫通軸とが後方に伸びて前記ベルト空間の中に入り、且つ前記ベルト空間の前後側壁と回転できるように連結され、前記延伸軸と前記貫通軸とには動力ベルトプーリが固定的に設置され、二つの前記動力ベルトプーリは前記連結ベルトによって連結されていることを特徴とする請求項１に記載の飲料用ペットボトルの洗浄回収圧縮装置。
【請求項５】
前記主体の底面には支持することができる支持脚ロッドが固定的に設置されていることを特徴とする請求項１に記載の飲料用ペットボトルの洗浄回収圧縮装置。
【請求項６】
前記ノズルと前記縦軸との直径は前記ペットボトルの直径より小さいことを特徴とする請求項２に記載の飲料用ペットボトルの洗浄回収圧縮装置。
【請求項７】
前記触発ロッドは前記ラック楔形ブロックを下方に移動連動させ、且つ前記ラック楔形ブロックを復帰連動させる時、前記ノズルを前記ペットボトルの底部開口に始終に位置合わせることを特徴とする請求項２に記載の飲料用ペットボトルの洗浄回収圧縮装置。
【請求項８】
前記軟質ブラシは柔毛で作られ、前記押し板はゴム材質であって一定の伸縮性があることを特徴とする請求項３に記載の飲料用ペットボトルの洗浄回収圧縮装置。
【発明の詳細な説明】
【技術分野】
【０００１】
本発明はゴミ分野に関わり、具体的には飲料用ペットボトルの洗浄回収圧縮装置である。
【背景技術】
【０００２】
社会の発展につれて、人々は環境保護への関心も多くなり、飲料用ペットボトルが使用完了後に、飲料用ペットボトルに最初の段階の回収を行わないと飲料用ペットボトルをプラスチック再利用場所に送れなく、今までの最初段階の回収方法はいずれも清掃作業員によってペットボトルの中の水を捨て、その後、手動で圧縮することであり、この方法では圧縮は不十分で、且つボルトは洗浄されないで直接に圧縮され、後期の再加工に不便で、それから再加工工場の環境に影響しやすい。
【先行技術文献】
【特許文献】
【０００３】
【特許文献１】中国特許出願公開第１０８９０８７９５号明細書
【発明の概要】
【発明が解決しようとする課題】
【０００４】
本発明は飲料用ペットボトルの洗浄回収圧縮装置を提供し、上記の背景技術で説明した問題を解決する。
【課題を解決するための手段】
【０００５】
上記の目的を実現するため、本発明は以下の技術プランを提供する。飲料用ペットボトルの洗浄回収圧縮装置は主体を含み、前記主体の中には作動空間が設置され、前記作動空間の中には移動する伝送ベルトが設置され、前記伝送ベルトの中には固定空間が設置され、前記固定空間の中にはペットボトルを固定できる固定装置が設置されている。
【０００６】
前記固定装置は前記固定空間の側壁に左右対称的に設置された頂部スライド空間を含み、前記頂部スライド空間の中には突き出しロッドがスライドできるように連結され、前記突き出しロッドと前記頂部スライド空間との間には小バネが連結され、前記突き出しロッドの頂側には台形ブロックが固定的に設置され、前記突き出しロッドの片側には瓶の口を挟める固定ブロックが固定的に設置され、前記固定ブロックにはペットボトルが固定的に連結され、前記伝送ベルトの底面には触発ロッドが固定的に設置され、前記作動空間の底壁には下方に開口した洗浄空間が設置され、前記洗浄空間の底側には水タンクが設置され、前記水タンクと前記洗浄空間との間には水出管が連結されている。
【０００７】
前記水タンクと前記洗浄空間との間にはペットボトルを洗浄できる水噴射装置が設置され、前記作動空間の底壁には動力空間が設置され、前記動力空間の中にはペットボトルを洗浄することを補助できるブラシヘッド装置が設置され、前記作動空間の頂壁には開口空間が設置され、前記開口空間の頂側には押し空間が設置され、前記押し空間の中にはペットボトルを押しつぶせる押し装置が設置され、前記作動空間の底壁には落とし空間が設置され、前記作動空間の後側には前記押し装置に動力を伝送できる伝動装置が設置されている。
【０００８】
上記の技術プランに基づき、前記水噴射装置は前記洗浄空間の右側壁に設置された排水パイプを含み、前記作動空間の底壁には下方に開口した楔形ブロックスライド空間が左右対称的に設置され、前記楔形ブロックスライド空間の中には前記触発ロッドと当接できるラック楔形ブロックがスライドできるように連結され、右側の前記楔形ブロックスライド空間の右側壁には前記洗浄空間と連通した連通空間が設置され、前記連通空間の前後側壁には旋転軸が回転できるように連結され、前記旋転軸には前記タック楔形ブロックと噛み合った旋転歯車が固定的に設置され、前記洗浄空間の底壁には切換空間が設置され、前記旋転歯車の右側には折り曲げラックが噛み合い、前記折り曲げラックの頂面にはノズルが固定的に設置され、前記折り曲げラックの底側には伸縮ホースが固定的に設置され、前記伸縮ホースの底側と前記水出管とが連通し、前記水タンクの底壁には前記水出管と連結された水ポンプが固定的に設置され、前記水タンクの後側壁には後方に開口した注水口が設置され、前記折り曲げラックの底面にはヒンジロッドがヒンジで連結され、前記切換空間の底壁には前記水出管を貫通した横板スライド空間が設置され、前記ヒンジロッドの中には前記水出管と連通できる抜き穴が設置され、前記切換空間の後側壁には洗浄剤を加えられる加え口が設置されている。
【０００９】
上記の技術プランに基づき、前記ブラシヘッド装置は前記動力空間の底壁に固定的に取り付けられたモーターを含み、前記モーターの中にはモーター軸が伝動できるように連結され、前記モーター軸の頂側には動力歯車が固定的に設置され、前記モーター軸の中側には第一傘歯車が固定的に設置され、前記動力空間の後側壁には貫通軸が回転できるように連結され、前記貫通軸の前側には前記第一傘歯車と噛み合える第二傘歯車が固定的に設置され、前記動力空間の底側には液圧スライド空間が設置され、前記液圧スライド空間の左側壁には送油管が設置され、前記送油管の頂壁には油タンクが設置され、左側の前記ラック楔形ブロックの底面には左側の前記楔形ブロックスライド空間の底壁とスライドできるように連結された長ロッドがスライドできるように連結され、前記長ロッドは下方に伸びて前記楔形ブロックスライド空間の底壁を貫通して前記油タンクの中に入り、且つ前記油タンクの頂壁とスライドできるように連結され、前記長ロッドの底側には前記油タンクとスライドできるように連結された圧力板が固定的に設置され、前記液圧スライド空間の右側面には位置制限ブロックがスライドできるように連結され、前記液圧スライド空間の中には液圧スライドブロックがスライドできるように連結され、前記液圧スライドブロックと前記圧力板との間には作動液が貯蔵され、前記液圧スライドブロックの頂側には縦軸が回転できるように連結され、前記縦軸と前記液圧スライド空間の頂壁とがスライドできるように連結され、前記縦軸の頂側は上方に伸びて前記液圧スライド空間の頂壁を貫通して前記動力空間の中に入り、且つ前記動力空間の底壁とスライドできるように連結され、前記縦軸の中側には前記動力歯車と噛み合える移動歯車が固定的に設置され、前記縦軸の頂側には前記ペットボトルの内壁を洗浄できる軟質ブラシが固定的に設置されている。
【００１０】
上記の技術プランに基づき、前記押し装置は前記押し空間の右側壁に回転できるように装着された横軸を含み、前記横軸の中側には第三傘歯車が固定的に設置され、前記横軸の左側にはカムが固定的に設置され、前記押し空間の後側壁には延伸軸が回転できるように連結され、前記延伸軸の前側には前記第三傘歯車と噛み合った第四傘歯車が固定的に設置され、前記押し空間の中には押し動かし板がスライドできるように連結され、前記押し動かし板と前記押し空間との間には強力バネが連結され、前記押し動かし板の底側には細ロッドが固定的に設置され、前記細ロッドは下方に伸びて前記押し空間の底壁を貫通して前記開口空間の中に入り、且つ前記押し空間の底壁及び前記開口空間の頂壁とスライドできるように連結され、前記細ロッドの底側には前記台形ブロックと当接できる押し板が固定的に設置されている。
【００１１】
上記の技術プランに基づき、前記伝動装置は前記ベルト空間の中に設置された連結ベルトを含み、前記延伸軸と前記貫通軸とが後方に伸びて前記ベルト空間の中に入り、且つ前記ベルト空間の前後側壁と回転できるように連結され、前記延伸軸と前記貫通軸とには動力ベルトプーリが固定的に設置され、二つの前記動力ベルトプーリは前記連結ベルトによって連結されている。
【００１２】
上記の技術プランに基づき、前記主体の底面には支持することができる支持脚ロッドが固定的に設置されている。
【００１３】
上記の技術プランに基づき、前記ノズルと前記縦軸との直径は前記ペットボトルの直径より小さい。
【００１４】
上記の技術プランに基づき、前記触発ロッドは前記ラック楔形ブロックを下方に移動連動させ、且つ前記ラック楔形ブロックを復帰連動させる時、前記ノズルを前記ペットボトルの底部開口に始終に位置合わせる。
【００１５】
上記の技術プランに基づき、前記軟質ブラシは柔毛で作られ、前記押し板はゴム材質であって一定の伸縮性がある。
【発明の効果】
【００１６】
本発明の有益な効果は：本装置は人が飲料を飲んだ後のペットボトルを洗浄して押し潰すことができ、それによってペットボトルに対する自動の初歩処理を完成し、伝統的な処理方法と比べ、本装置は人でペットボトルを処理することが不要で、労働力と資源を省き、同時に、本装置はペットボトルを洗浄でき、後続の再加工の時に環境の衛生を保障できる。
【図面の簡単な説明】
【００１７】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の飲料用ペットボトルの洗浄回収圧縮装置の全体全断面の正面構成概略図
【図２】図２は本発明の図１の後側の断面正面図
【図３】図３は本発明の図１の中のＡの部分拡大図
【発明を実施するための形態】
【００１９】
本説明書に開示したすべての特徴、または開示したすべての方法または過程中のステップは、互いに排斥する特徴と／またはステップ以外に、いずれもあらゆる方式で組み合わせることができる。
【００２０】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２１】
図１〜３を参照し、本発明に説明する実施例は飲料用ペットボトル６７の洗浄回収圧縮装置であり、飲料用ペットボトル６７の洗浄回収圧縮装置は主体２１を含み、前記主体２１の中には作動空間３１が設置され、前記作動空間３１の中には移動する伝送ベルト８２が設置され、前記伝送ベルト８２の中には固定空間８１が設置され、前記固定空間８１の中にはペットボトル６７を固定できる固定装置１０１が設置され、前記固定装置１０１は前記固定空間８１の側壁に左右対称的に設置された頂部スライド空間７０を含み、前記頂部スライド空間７０の中には突き出しロッド７９がスライドできるように連結され、前記突き出しロッド７９と前記頂部スライド空間７０との間には小バネ６９が連結され、前記突き出しロッド７９の頂側には台形ブロック６８が固定的に設置され、前記突き出しロッド７９の片側には瓶の口を挟める固定ブロック８０が固定的に設置され、前記固定ブロック８０にはペットボトル６７が固定的に連結され、前記伝送ベルト８２の底面には触発ロッド８３が固定的に設置され、前記作動空間３１の底壁には下方に開口した洗浄空間８４が設置され、前記洗浄空間８４の底側には水タンク３５が設置され、前記水タンク３５と前記洗浄空間８４との間には水出管３６が連結され、前記水タンク３５と前記洗浄空間８４との間にはペットボトル６７を洗浄できる水噴射装置１０２が設置され、前記作動空間３１の底壁には動力空間５９が設置され、前記動力空間５９の中にはペットボトル６７を洗浄することを補助できるブラシヘッド装置１０３が設置され、前記作動空間３１の頂壁には開口空間５４が設置され、前記開口空間５４の頂側には押し空間２２が設置され、前記押し空間２２の中にはペットボトル６７を押しつぶせる押し装置１０４が設置され、前記作動空間３１の底壁には落とし空間５２が設置され、前記作動空間３１の後側には前記押し装置１０４に動力を伝送できる伝動装置１０５が設置されている。
【００２２】
また、一つの実施例において、前記水噴射装置１０２は前記洗浄空間８４の右側壁に設置された排水パイプ８５を含み、前記作動空間３１の底壁には下方に開口した楔形ブロックスライド空間７１が左右対称的に設置され、前記楔形ブロックスライド空間７１の中には前記触発ロッド８３と当接できるラック楔形ブロック７２がスライドできるように連結され、右側の前記楔形ブロックスライド空間７１の右側壁には前記洗浄空間８４と連通した連通空間７４が設置され、前記連通空間７４の前後側壁には旋転軸７３が回転できるように連結され、前記旋転軸７３には前記タック楔形ブロック７２と噛み合った旋転歯車７５が固定的に設置され、前記洗浄空間８４の底壁には切換空間３８が設置され、前記旋転歯車７５の右側には折り曲げラック７７が噛み合い、前記折り曲げラック７７の頂面にはノズル７８が固定的に設置され、前記折り曲げラック７７の底側には伸縮ホース７６が固定的に設置され、前記伸縮ホース７６の底側と前記水出管３６とが連通し、前記水タンク３５の底壁には前記水出管３６と連結された水ポンプ３７が固定的に設置され、前記水タンク３５の後側壁には後方に開口した注水口４１が設置され、前記折り曲げラック７７の底面にはヒンジロッド３９がヒンジで連結され、前記切換空間３８の底壁には前記水出管３６を貫通した横板スライド空間３２が設置され、前記ヒンジロッド３３の中には前記水出管３６と連通できる抜き穴３４が設置され、前記切換空間３８の後側壁には洗浄剤を加えられる加え口４０が設置されており、
前記触発ロッド８３は右側の前記ラック楔形ブロック７２を下方に押す時、前記旋転歯車７５を回転連動させ、それによって前記折り曲げラック７７と前記伸縮ホース７６とを上方に移動連動させ、それによって前記ヒンジロッド３９によって前記横板３３を右方に移動連動させ、前記抜き穴３４は前記切換空間３８の中の洗浄剤を前記水出管３６の中にガイドし、前記水ポンプ３７は前記水タンク３５の中の水を前記水出管３６と、前記抜き穴３４と、前記ノズル７８とによって前記ペットボトル６７の中に噴射し、それによって洗浄を完成する。
【００２３】
また、一つの実施例において、前記ブラシヘッド装置１０３は前記動力空間５９の底壁に固定的に取り付けられたモーター６６を含み、前記モーター６６の中にはモーター軸６４が伝動できるように連結され、前記モーター軸６４の頂側には動力歯車６２が固定的に設置され、前記モーター軸６４の中側には第一傘歯車６３が固定的に設置され、前記動力空間５９の後側壁には貫通軸６５が回転できるように連結され、前記貫通軸６５の前側には前記第一傘歯車６３と噛み合える第二傘歯車６０が固定的に設置され、前記動力空間５９の底側には液圧スライド空間４５が設置され、前記液圧スライド空間４５の左側壁には送油管４６が設置され、前記送油管４６の頂壁には油タンク４９が設置され、左側の前記ラック楔形ブロック７２の底面には左側の前記楔形ブロックスライド空間７１の底壁とスライドできるように連結された長ロッド５０がスライドできるように連結され、前記長ロッド５０は下方に伸びて前記楔形ブロックスライド空間７１の底壁を貫通して前記油タンク４９の中に入り、且つ前記油タンク４９の頂壁とスライドできるように連結され、前記長ロッド５０の底側には前記油タンク４９とスライドできるように連結された圧力板４８が固定的に設置され、前記液圧スライド空間４５の右側面には位置制限ブロック４３がスライドできるように連結され、前記液圧スライド空間４５の中には液圧スライドブロック４４がスライドできるように連結され、前記液圧スライドブロック４４と前記圧力板４８との間には作動液４７が貯蔵され、前記液圧スライドブロック４４の頂側には縦軸４２が回転できるように連結され、前記縦軸４２と前記液圧スライド空間４５の頂壁とがスライドできるように連結され、前記縦軸４２の頂側は上方に伸びて前記液圧スライド空間４５の頂壁を貫通して前記動力空間５９の中に入り、且つ前記動力空間５９の底壁とスライドできるように連結され、前記縦軸４２の中側には前記動力歯車６２と噛み合える移動歯車６１が固定的に設置され、前記縦軸４２の頂側には前記ペットボトル６７の内壁を洗浄できる軟質ブラシ２９が固定的に設置されており、
左側の前記タック楔形ブロック７２が下方に押すように移動する時、前記長ロッド５０と前記圧力板４８とを下方に移動連動させ、それによって前記作動液４７を前記液圧スライド空間４５の中に押し込み、それによって前記液圧スライドブロック４４と、前記縦軸４２と、前記軟質ブラシ２９とを上方に移動連動させ、それによって前記移動歯車６１が前記動力歯車６２と噛み合い、そして前記モーター６６を作動させ、それによって前記モーター軸６４と、前記第一傘歯車６３と、前記動力歯車６２と、前記縦軸４２と、前記軟質ブラシ２９とを回転連動させ、それによってペットボトル６７内部を洗浄することを完成する。
【００２４】
また、一つの実施例において、前記押し装置１０４は前記押し空間２２の右側壁に回転できるように装着された横軸２６を含み、前記横軸２６の中側には第三傘歯車２７が固定的に設置され、前記横軸２６の左側にはカム２３が固定的に設置され、前記押し空間２２の後側壁には延伸軸２５が回転できるように連結され、前記延伸軸２５の前側には前記第三傘歯車２７と噛み合った第四傘歯車２４が固定的に設置され、前記押し空間２２の中には押し動かし板５８がスライドできるように連結され、前記押し動かし板５８と前記押し空間２２との間には強力バネ５６が連結され、前記押し動かし板５８の底側には細ロッド５７が固定的に設置され、前記細ロッド５７は下方に伸びて前記押し空間２２の底壁を貫通して前記開口空間５４の中に入り、且つ前記押し空間２２の底壁及び前記開口空間５４の頂壁とスライドできるように連結され、前記細ロッド５７の底側には前記台形ブロック６８と当接できる押し板５５が固定的に設置されており、
前記延伸軸２５が回転する時、前記第四傘歯車２４と、前記第三傘歯車２７と、前記横軸２６と、前記カム２３とを回転連動させ、それによって前記押し動かし板５８を上方に移動連動させ、そして前記細ロッド５７によって前記押し板５５を下方に移動連動させ、前記ペットボトル６７を押し潰し、その後、前記台形ブロック６８を左右両側に押し動かし、それによって前記ペットボトル６７は前記固定空間８１から前記落とし空間５２の中に落ち、そして前記落とし空間５２から送り出される。
【００２５】
また、一つの実施例において、前記伝動装置１０５は前記ベルト空間８７の中に設置された連結ベルト８８を含み、前記延伸軸２５と前記貫通軸６５とが後方に伸びて前記ベルト空間８７の中に入り、且つ前記ベルト空間８７の前後側壁と回転できるように連結され、前記延伸軸２５と前記貫通軸６５とには動力ベルトプーリ８６が固定的に設置され、二つの前記動力ベルトプーリ８６は前記連結ベルト８８によって連結されており、
前記貫通軸６５は前記動力ベルトプーリ８６と前記連結ベルト８８とによって前記延伸軸２５を回転連動させる。
【００２６】
また、一つの実施例において、前記主体２１の底面には支持することができる支持脚ロッド５３が固定的に設置されている。
【００２７】
また、一つの実施例において、前記ノズル７８と前記縦軸４２との直径は前記ペットボトル６７の直径より小さい。
【００２８】
また、一つの実施例において、前記触発ロッド８３は前記ラック楔形ブロック７２を下方に移動連動させ、且つ前記ラック楔形ブロックを復帰連動させる時、前記ノズル７８を前記ペットボトル６７の底部開口に始終に位置合わせる。
【００２９】
また、一つの実施例において、前記軟質ブラシ２９は柔毛で作られ、前記ペットボトル６７の内壁を効果的にきれいに洗浄でき、前記押し板５５はゴム材質であって一定の伸縮性があり、
前記押し板５５が前記台形ブロック６８を押すことで壊すのを防止できる。
【００３０】
ペットボトルを処理する時、まずモーター６６を移し、一つ一つのペットボトル６７を固定ブロック８０の間に固定し、そして注水口４１の中に水を注入し、加え口４０の中に洗浄剤を加え、その後、モーター６６と水ポンプ３７とを作動させ、伝送ベルト８２は左方に移動する時、触発ロッド８３は右側のラック楔形ブロック７２を下方に押し、それによって旋転歯車７５を回転連動させ、折り曲げラック７７と伸縮ホース７６とを上方に移動連動させ、それによってヒンジロッド３９は横板３３を右方に移動連動させ、抜き穴３４は切換空間３８の中の洗浄剤を水出管３６の中にガイドし、水ポンプ３７は水タンク３５の中に水を水出管３６と、抜き穴３４と、ノズル７８とによってペットボトル６７の中に噴射し、それによって洗浄を完成し、触発ロッド８３は左側のラック楔形ブロック７２を下方に押し、それによって長ロッド５０と圧力板４８とを下方に移動連動させ、それによって作動液４７を液圧スライド空間４５の中に押し込み、それによって液圧スライドブロック４４と、縦軸４２と、軟質ブラシ２９とを上方に移動連動させ、それによって移動歯車６１が動力歯車６２と噛み合い、そしてモーター６６を作動させ、それによってモーター軸６４と、第一傘歯車６３と、動力歯車６２と、縦軸４２と、軟質ブラシ２９とを回転連動させ、それによってペットボトル６７内部を洗浄することを完成し、貫通軸６５は動力ベルトプーリ８６と連結ベルト８８とによって延伸軸２５を回転連動させ、それによって延伸軸２５が回転する時、第四傘歯車２４と、第三傘歯車２７と、横軸２６と、カム２３とを回転連動させ、それによって押し動かし板５８を上下に移動連動させ、それによって細ロッド５７は押し板５５を下方に移動連動させ、ペットボトルを押し潰し、それによって台形ブロック６８を左右両側に押し動かし、それによってペットボトル６７を固定空間８１から落とし空間５２の中に落とし、それによって落とし空間５２から送り出す。
【００３１】
本発明の有益な効果は：本装置は人が飲料を飲んだ後のペットボトルを洗浄して押し潰すことができ、それによってペットボトルに対する自動の初歩処理を完成し、伝統的な処理方法と比べ、本装置は人でペットボトルを処理することが不要で、労働力と資源を省き、同時に、本装置はペットボトルを洗浄でき、後続の再加工の時に環境の衛生を保障できる。
【００３２】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【要約】
【課題】本発明は飲料用ペットボトルの洗浄回収圧縮装置を開示した。
【解決手段】
主体を含み、前記主体の中には作動空間が設置され、前記作動空間の中には移動する伝送ベルトが設置され、前記伝送ベルトの中には固定空間が設置され、前記固定空間の中にはペットボトルを固定できる固定装置が設置され、まずモーターを移し、一つ一つのペットボトルを固定ブロックの間に固定し、そして注水口の中に水を注入し、本装置は人が飲料を飲んだ後のペットボトルを洗浄して押し潰すことができ、それによってペットボトルに対する自動の初歩処理を完成し、伝統的な処理方法と比べ、本装置は人でペットボトルを処理することが不要で、労働力と資源を省き、同時に、本装置はペットボトルを洗浄でき、後続の再加工の時に環境の衛生を保障できる。
【選択図】図１【図１】
0006748815.tif 000002
【図２】
0006748815.tif 000003
【図３】
0006748815.tif 000004